(57)【要約】【課題】  レンズ鏡筒内に収納された光学系に対する衝撃を吸収し、且つ沈胴機構を保護可能なレンズ鏡筒と、当該レンズ鏡筒を備えた撮像装置を提供すること【解決手段】  撮像装置1は、撮像光学系と、当該撮像光学系を保持する沈胴式のレンズ鏡筒2と、撮像素子とを備え、レンズ鏡筒2は、回転により第二鏡筒22と第二鏡筒22の回転により第二鏡筒22より突出する第一鏡筒21を鏡筒枠23の内部に有し、第一鏡筒21は、外周面に第一カムピン32を備え、第二鏡筒22は、外周面に第二カムピン44を備えると共にその内周面に第一カムピン32を摺動させる第一カム溝43を備え、鏡筒枠23は、第二カムピン44を摺動させる第二カム溝61を内周面に備え、第一カム溝43は光軸方向に対する負荷が加わった時に第一カムピン32が退避可能47となる光軸と平行な退避経路を備えたものである。【選択図】      図６
2008003272.tif 000002
【特許請求の範囲】
【請求項１】
回転により突出する第二鏡筒とこの第二鏡筒の回転により第二鏡筒よりも突出する第一鏡筒を鏡筒枠の内部に有し、
前記第一鏡筒は、外周面に第一カムピンを備え、
前記第二鏡筒は、外周面に第二カムピンを備えると共にその内周面に前記第一カムピンを摺動させる第一カム溝を備え、
前記鏡筒枠は、前記第二カムピンを摺動させる第二カム溝を内周面に備え、
前記第一カム溝は光軸方向に対する負荷が加わった時に第一カムピンが退避可能となる光軸と平行な退避経路を備えることを特徴とするレンズ鏡筒。
【請求項２】
前記第二カム溝は、前記第二カムピンが退避可能となる光軸と平行な退避経路を備えることを特徴とする請求項１に記載のレンズ鏡筒。
【請求項３】
前記退避経路は、各カムピンを復帰させるための復帰経路を有していることを特徴とする請求項１又は請求項２に記載のレンズ鏡筒。
【請求項４】
前記退避経路と前記復帰経路を同一とし、
前記第二鏡筒は、前記第一カムピンを第一カム溝に復帰させるための復帰手段を有することを特徴とする請求項３に記載のレンズ鏡筒。
【請求項５】
前記復帰手段は、圧縮バネと第一係止板とからなるバネ機構であることを特徴とする請求項４に記載のレンズ鏡筒。
【請求項６】
前記復帰手段は、ギアと、ギアベルトと、当該ギアベルトに取付けられた第二係止板とからなるプーリー機構であることを特徴とする請求項４に記載のレンズ鏡筒。
【請求項７】
前記復帰手段は、空気噴出装置と第三係止板とからなる空気圧機構であることを特徴とする請求項６に記載のレンズ鏡筒。
【請求項８】
前記第一鏡筒は、前記第一カムピンの両側に切欠きを有することを特徴とする請求項１乃至請求項７のいずれかに記載のレンズ鏡筒。
【請求項９】
撮像光学系と、
当該撮像光学系を保持する沈胴式のレンズ鏡筒と、
撮像素子とを備え、
前記レンズ鏡筒は、
回転により突出する第二鏡筒とこの第二鏡筒の回転により第二鏡筒よりも突出する第一鏡筒を鏡筒枠の内部に有し、
前記第一鏡筒は、外周面に第一カムピンを備え、
前記第二鏡筒は、外周面に第二カムピンを備えると共にその内周面に前記第一カムピンを摺動させる第一カム溝を備え、
前記鏡筒枠は、前記第二カムピンを摺動させる第二カム溝を内周面に備え、
前記第一カム溝は光軸方向に対する負荷が加わった時に第一カムピンが退避可能となる光軸と平行な退避経路を備えることを特徴とする撮像装置。
【請求項１０】
前記第二カム溝は、前記第二カムピンが退避可能となる光軸と平行な退避経路を備えることを特徴とする請求項９に記載の撮像装置。
【請求項１１】
前記退避経路は、各カムピンを復帰させるための復帰経路を有していることを特徴とする請求項９又は請求項１０に記載の撮像装置。
【請求項１２】
前記退避経路と前記復帰経路を同一とし、
前記第二鏡筒は、前記第一カムピンを第一カム溝に復帰させるための復帰手段を有することを特徴とする請求項１１に記載の撮像装置。
【請求項１３】
前記復帰手段は、バネと第一係止板とからなるバネ機構であることを特徴とする請求項１２に記載の撮像装置。
【請求項１４】
前記復帰手段は、ギアと、ギアベルトと、当該ギアベルトに取付けられた第二係止板とからなるプーリー機構であることを特徴とする請求項１３に記載の撮像装置。
【請求項１５】
前記復帰手段は、空気噴出装置と第三係止板とからなる空気圧機構であることを特徴とする請求項１３に記載の撮像装置。
【請求項１６】
前記第一鏡筒は、前記第一カムピンの両側に切欠きを有することを特徴とする請求項９乃至請求項１５のいずれかに記載の撮像装置。
【発明の詳細な説明】
【技術分野】
【０００１】
本発明は、レンズ鏡筒及び当該レンズ鏡筒を備えるデジタルカメラ等の撮像装置に関するものである。
【背景技術】
【０００２】
近年、デジタルカメラ等の撮像装置において、製品の薄型化又は小型化が図られており、手の平サイズ又はカードサイズにまで縮小している。このため、持ち運びの自由度は増加したが、一方で持ち運び時の予期せぬ異常加重や落下事故等を原因とする部品の損傷が問題となっている。
【０００３】
このような小型の撮像装置としては、撮像時にレンズ鏡筒が外部に突出してくるレンズ沈胴型撮像装置と、撮像装置の筐体内に光学系が配置されて筐体内で光学系を稼働させるレンズインナー型撮像装置との大きく分けて２つの種類がある。
【０００４】
そして、レンズ沈胴型撮像装置においては、レンズ鏡筒が突出している状態時に予期せぬ異常加重や落下事故によって、レンズ鏡筒の歪みやレンズ鏡筒の沈胴機構に損傷が発生し、突出したレンズを収納できなくなることや、光学系にズレが生じて撮像装置として利用できなくなるといった問題点があった。
【０００５】
このようなレンズ沈胴型撮像装置は、レンズ鏡筒内の第二鏡筒の内面にカム溝を設け、第一鏡筒の外部に形成されたカムピンがこの第二鏡筒のカム溝にそって摺動することで撮像装置の変倍やレンズ焦点の調節をするものであるが、異常加重や落下事故の衝撃によりこのカムピンがカム溝から脱落してしまうことによってレンズの沈胴機構が機能しなくなる原因の一つとなっていた。
【０００６】
このような問題点を解決するために多くの提案がなされている。例えば、特開２００６−７２０７０号公報（特許文献１）では、第二鏡筒のカム溝にカムピンの脱落を防止するための壁部を設け、更に、第一鏡筒の外面と第二鏡筒の内面に突条を設けて当該両突条を近接させて配置し、両突条で衝撃を吸収させることで第一鏡筒のカムピンに衝撃が係るのを防止する提案がなされている。
【特許文献１】特開２００６−７２０７０号公報
【発明の開示】
【発明が解決しようとする課題】
【０００７】
しかし、上述したような従来の技術においては、カムピンがカム溝から脱落することを防止できるも、落下等によるレンズ鏡筒内の光学系に対する衝撃を吸収することはできず、沈胴機構は保護できる一方で光学系にズレが生じてしまい、撮像装置として利用できなくなる場合があった。
【０００８】
本発明は、上述したような従来技術の問題点に鑑みてなされたものであり、レンズ鏡筒内に収納された光学系に対する衝撃を吸収し、且つ沈胴機構を保護可能なレンズ鏡筒と、当該レンズ鏡筒を備えた撮像装置を提供することを目的としている。
【課題を解決するための手段】
【０００９】
本発明のレンズ鏡筒(2)は、回転により突出する第二鏡筒(22)と第二鏡筒(22)の回転により第二鏡筒(22)より突出する第一鏡筒(21)を鏡筒枠(23)の内部に有し、第一鏡筒(21)は、外周面に第一カムピン(32)を備え、第二鏡筒(22)は、外周面に第二カムピン(44)を備えると共にその内周面に第一カムピン(32)を摺動させる第一カム溝(43)を備え、鏡筒枠(23)は、第二カムピン(44)を摺動させる第二カム溝(61)を内周面に備え、第一カム溝(43)は光軸方向に対する負荷が加わった時に第一カムピン(32)が退避可能となる光軸と平行な退避経路を備えたものである。
【００１０】
又、第二カム溝(61)にも退避経路を備えることがあり、更に、第一カム溝(43)や第二カム溝(61)に設けた退避経路(47,67)から各カムピン(32,44)をカム溝(45,65)に復帰させるための復帰経路を有していることもある。
【００１１】
そして、退避経路(47,67)と復帰経路を同一溝により形成し、第二鏡筒(22)は、各カムピン(32)を負荷の加わる前のカム溝(46)位置に復帰させるための復帰手段を有する場合がある。この復帰手段としては、バネ(71)と第一係止板(72)とからなるバネ機構である場合や、ギア(81)と、ギアベルト(82)と、当該ギアベルト(82)に取付けられた第二係止板(83)とからなるプーリー機構である場合や、空気噴出装置(91)と第三係止板(92)とからなる空気圧機構である場合がある。
又、第一鏡筒(21)は、第一カムピン(32)の両側に切欠き(33)を有する場合がある。
【００１２】
そして、本発明の撮像装置(1)は、撮像光学系と、当該撮像光学系を保持する沈胴式のレンズ鏡筒(2)と、撮像素子とを備え、このレンズ鏡筒(2)としては、上述の構造のものとしているものである。
【発明の効果】
【００１３】
本発明によれば、レンズ鏡筒内に収納された光学系に対する衝撃を吸収し、且つ沈胴機構を保護可能なレンズ鏡筒と、当該レンズ鏡筒を備えた撮像装置を提供することができる。
【発明を実施するための最良の形態】
【００１４】
本発明を実施するための最良の形態の撮像装置1は、撮像光学系と、当該撮像光学系を保持する沈胴式のレンズ鏡筒2と、撮像素子とを備えるものである。
そして、回転により第二鏡筒22を突出させ、この第二鏡筒22の回転により第二鏡筒22よりも突出する第一鏡筒21を第二鏡筒22と共に鏡筒枠23の内部に有し、第一鏡筒21は、外周面に第一カムピン32を備え、第二鏡筒22は、外周面に第二カムピン44を備えると共に第二鏡筒22の内周面に第一カムピン32を摺動させる第一カム溝43を備え、鏡筒枠23は、第二カムピン44を摺動させる第二カム溝61を内周面に備え、各カム溝43,61は光軸方向に対する負荷が加わった時に各カムピン32,44が退避可能となる光軸と平行な退避経路を備えたものである。
【００１５】
又、退避経路47,67から各カムピン32,44を負荷の加わる前の位置に復帰させるための復帰経路を有しており、更に、第一鏡筒21は、第一カムピン32の両側に切欠き33を有しているものである。
【００１６】
本最良の形態によれば、レンズ鏡筒に予期せぬ荷重が加わったとき、カムピンが退避経路に侵入してレンズ鏡筒を後退させ、レンズ鏡筒内に収納された光学系に対する衝撃を吸収し、且つ沈胴機構を保護可能なレンズ鏡筒とすることができ、当該衝撃等にも耐え得るレンズ鏡筒を備えた撮像装置を提供できる。
【実施例１】
【００１７】
以下、本発明の実施例を図に基づいて詳説する。本発明に係る第１の実施例としての撮像装置のカメラ筐体は、正面板と背面板を有する薄肉方形体であり、正面には図１に示すように、レンズ鏡筒が沈胴する沈胴式のレンズ鏡筒2や、フラッシュ3等が適宜配設されており、撮像装置1の裏面には、図２に示すように、液晶表示板などを用いた表示部5、各種の設定を行う各種ボタン6が配設されている。又、撮像装置1の上面には、図示しないが、電源ボタン、撮像ボタン等が適宜配設されている。
【００１８】
更に、カメラ筐体の内部には、レンズ鏡筒2や、画像処理を含む各種の制御を行う撮像制御装置や、表示部を制御する表示部制御装置、更に、画像データを保存するメモリ等を備えている。
【００１９】
そして、レンズ鏡筒2は、図３に示すように、突出時に先端に位置する第一鏡筒21と、第一鏡筒21の沈胴を制御する第二鏡筒22と、第一鏡筒21と第二鏡筒22が収納される常時固定の鏡筒枠23とを備え、内部に撮像光学系が配置されている。又、図示しないが第二鏡筒22の回転動作を制御するレンズモータや、ＣＣＤ等の撮像素子をも備えているものである。尚、以下の説明において後方Bは撮像装置の背面板側を意味し、前方Fはレンズ鏡筒の突出する側を意味する。
【００２０】
このレンズ鏡筒2は、電源ＯＦＦ時には撮像装置1の内部に収納された状態となり、撮像時にはレンズモータにより第二鏡筒22を回転動作させるものであって、第二鏡筒22は回転しながら突出し、第一鏡筒21は回転することなく、第二鏡筒22の回転動作により第二鏡筒22内より突出し、撮像時の焦点調整や変倍機能の調整等も第二鏡筒22の回転動作により行うものである。
【００２１】
そして、第一鏡筒21は、図４に示すように、背面を開口とし、略中心部に撮像時に光を入射する入射口を備えた撮像枠31を前端に有した円筒形状であり、外周面の後方近傍には等間隔に３個の第一カムピン32が突出している。又、切欠き33が光軸と平行に各第一カムピン32の両側近傍に形成されており、第一カムピン32に圧力が掛かるとこの切欠き33により第一カムピン32の取付け部分の弾性変形を容易とするものである。
【００２２】
又、第二鏡筒22は、図５に示すように、前面と背面を開口とし、内面に光吸収加工を施した円筒部41と、この円筒部41の外周面の後方端部で外方に突出した縁部42とを備え、円筒部41の内面には第一鏡筒21の第一カムピン32が摺動する第一カム溝43を有し、縁部42の外周面にはレンズ制御モータのギアと咬合する歯部40と、等間隔に配置される３個の第二カムピン44とが形成されている。
【００２３】
この第一カム溝43は、図６に示すように、後方側の端部近傍から前方側の端部近傍まで傾斜する第一沈胴経路45と、第一沈胴経路45の前方側の端部に連続して後方に向かって山形形状とされた第一調整経路46とで構成され、第一調整経路46の山の頂点から光軸と平行に後方側の端部近傍まで伸びる第一退避経路47と、第一退避経路47の後方側の端部から第一沈胴経路45まで光軸を中心とする環状に配置される第一復帰経路48を備えるものである。
【００２４】
又、図７に示すように、第一退避経路47は、第一調整経路46の近傍を薄肉とし、第一復帰経路48の近傍では厚肉となるようにテーパー状に形成されており、更に、第一調整経路46と第一退避経路47との接続部、且つ、第一退避経路47と第一復帰経路48との接続部には段差を有している。
【００２５】
更に、第二鏡筒22の内側には、図８に示す直進ガイド24が第二鏡筒22に対して回転可能として配置されている。この直進ガイド24は前面と背面を開口とする略円筒形状であり、側面には光軸に平行で第一カムピン32が貫通する切抜き51を複数備えており、外周面の後方側の端部近傍には直進ガイドピン52が形成されている。
【００２６】
そして、第一カムピン32は、直進ガイド24の切抜き51を貫通してレンズ鏡筒2の収納時には待機位置である第一沈胴経路45の後方側の端部に位置しており、第二鏡筒22
が回転するとき、直進ガイド24によって第一鏡筒21の回転が阻止されるため、第二鏡筒22の回転動作により第一カムピン32は第一沈胴経路45上を摺動して前方側の端部へ移動し、第一鏡筒21は第二鏡筒22内から前方方向に突出する。又、このレンズ鏡筒2の突出時に撮像者が変倍機能等を用いると、第一カムピン32は第一調整経路46上を摺動し、第一鏡筒21は第一カムピン32の動きに誘導されて光軸に沿って前後に稼動する。
【００２７】
又、第一調整経路46上に第一カムピン32が位置している場合に、光軸方向に負荷が加わると、図９に示すように、第一カムピン32は第一調整経路46と第一退避経路47の接続部の段差を乗り越えて第一カム溝から第一退避経路47上に退避し、第一退避経路47上を摺動して第一復帰経路48上まで移動する。そして、第一カムピン32が第一退避経路47上に退避するため、第一鏡筒21は光軸方向と平行に第二鏡筒22内へ収納される。その後、第一復帰経路48上まで移動した第一カムピン32は、第二鏡筒22の回転動作により第一復帰経路48上を摺動して第一カム溝の第一沈胴経路45に戻り、待機位置に復帰することになる。
【００２８】
又、第一調整経路46と第一退避経路47との接続部に段差を設けているため、撮像時に変倍機能等を用いた場合においては第一カムピン32が第一退避経路47に入り込むことはなく第一調整経路46上を摺動し、光軸方向に向かって一定以上の力が加わるとき、第一鏡筒21は切欠き33により第一カムピン32の固定部分を弾性変形容易としているため、第一調整経路46と第一退避経路47の接続部にある段差を第一カムピン32が乗り越えて第一退避経路47に退避することになる。
【００２９】
更に、第一カムピン32は、図１０に示すように、直進ガイド24の切抜き51を貫通して第一カム溝43と接続しているため、第二鏡筒22が回転動作をした場合には第一カムピン32は直進ガイド24の切抜き51に支持されて光軸方向に沿って動く。又、光軸方向に力が加わることで第一カムピン32が第一退避経路47に退避する場合においてもこの切抜き51に支持されて光軸と平行に後方に向かって移動するため、第二鏡筒22の回転動作に合わせて第一鏡筒21が回転することはなく、第一鏡筒21は常に光軸に沿った方向に動作をすることになる。 
【００３０】
そして、鏡筒枠23は、上面と底面を開口とする略円筒形状であり、内面には第二鏡筒22の第二カムピン44が摺動する第二カム溝61と、直進ガイド24の直進ガイドピン52が摺動する直進ガイド溝62が形成されている。
【００３１】
この第二カム溝61は、図１１に示すように、鏡筒枠23の後方側の端部近傍から前方側の端部近傍に向かって傾斜する第二沈胴経路65と、この第二沈胴経路65の前方側の端部から前面と略平行に伸びる第二調整経路66とで形成され、この第二調整経路66の任意の位置から光軸に平行に後方側の端部近傍に向かって伸びる第二退避経路67と、この第二退避経路67の後方側の端部から光軸を中心とする環状に配置されて第二沈胴経路65まで伸びる第二復帰経路68とが設けられるものである。
又、直進ガイド溝62は、第二沈胴経路65の近傍に、後方側の端部から前方側の端部近傍まで光軸と平行に形成されている。
【００３２】
そして、第二退避経路67は、図１２に示すように、第二調整経路66側を薄肉とし、第二復帰経路68側が厚肉となるようにテーパー状に形成しており、更に、第二調整経路66と第二退避経路67との接続部、且つ、第二退避経路67と第二復帰経路68との接続部には段差を形成している。
【００３３】
そして、第二カムピン44は、レンズ鏡筒2の収納時には待機位置である第二沈胴経路65の後方側の端部に位置しており、レンズ鏡筒2の突出時には第二鏡筒22が回転動作するために第二沈胴経路65上を摺動して前方側の端部へ移動し、第二鏡筒22は前方に突出する。
【００３４】
又、第二調整経路66上に第二カムピン44が位置している時に、光軸方向へ負荷が加わると、第二カムピン44は第二調整経路66と第二退避経路67との接続部の段差を乗り越えて第二退避経路67へ退避し、第二退避経路47上を摺動して第二復帰経路68まで移動する。そして、第二鏡筒22は第二カムピン44の動きに誘導されて光軸方向と平行に鏡筒枠23内へ収納される。その後、第二復帰経路68に位置している第一カムピン32は、第二復帰経路68上を摺動して待機位置に復帰する。
【００３５】
又、第二調整経路66と第二退避経路67との接続部に段差を設けているため、通常の撮像時には第二カムピン44が第二退避経路67に入り込むことはなく第二調整経路66上を摺動するも、光軸方向に向かって一定以上の力が加わると、第二カムピン44が第二調整経路66と第二退避経路67との接続部の段差を乗り越えて第二退避経路67に入り込み、第二鏡筒22は鏡筒枠23内に収納される。
【００３６】
更に、直進ガイドピン52はレンズ鏡筒2の沈胴動作時には直進ガイド溝62上を摺動するため、直進ガイド24が傾くこと等がなく、光軸と平行にスムーズに沈胴動作を行うことができる。よって、直進ガイド24に形成された切抜き51に支持されている第一カムピン32も傾くこと等がなく、第一鏡筒21は光軸と平行に移動することになる。
【００３７】
又、第一鏡筒21と第二鏡筒22の夫々に第一退避経路47と第二退避経路67を備えているため、図１３に示すように、光軸方向へ力が加わったときはその力の大きさに応じてまず第一鏡筒21が沈胴し、更に強い力が加わると第二鏡筒22も沈胴するため、レンズ鏡筒2に直接強い負荷が加わることを防止できる。そして、光軸方向へ負荷により収納状態となったレンズ鏡筒2は、各カムピンが待機位置に復帰した後に第二鏡筒22の回転動作により第一及び第二沈胴経路46,66を各カムピンが再び摺動し、第一鏡筒21と第二鏡筒22が突出してくるものである。
【００３８】
従来の撮像装置1では、落下事故等によってレンズ鏡筒突出時に光軸方向にレンズ鏡筒に対して強い負荷が加わった場合には、カムピンがカム溝から外れてしまい、電源のＯＮ／ＯＦＦや変倍機能を使用してもレンズ鏡筒が動作しなくなる場合があった。又、カムピンがカム溝から外れないように強固なものとすると、第一鏡筒21に全ての負荷が加わることになり、変形や内部の光学系が破損してしまうことで撮像装置として利用できなくなる場合があった。
【００３９】
しかし、本実施例の撮像装置1によれば、落下事故等によってレンズ鏡筒突出時に光軸方向にレンズ鏡筒に対して強い負荷が加わった場合においても、第一退避経路を設けたことで、第一カムピンが各経路上から外れることなくレンズ鏡筒収納時の第一カムピンが位置する場所に退避した後、復帰させることが可能となり、第一鏡筒を第二鏡筒内に収納可能となるため、光軸方向の負荷を吸収できると共に、第一鏡筒に全ての衝撃が加わることを防止することができる。
【００４０】
又、第二退避経路を設けたことにより、第一鏡筒のみを収納することでは吸収できない強い負荷が加わった場合においても、第二鏡筒も第一鏡筒共に収納可能としたことによって負荷を吸収できるため、より強い負荷を吸収することができる。
【００４１】
更に、第一鏡筒に切欠きを形成したことにより第一カムピンの弾性変形が容易となり、第一カムピンが第一退避経路に退避することが容易となったため、第一鏡筒が変形等することなく第二鏡筒内に収納することができる。
【００４２】
そして、これらにより、レンズ鏡筒に対して光軸方向の強い負荷が加わった場合にこの負荷を吸収することができ、衝撃を軽減することができるため、破損しにくい撮像装置を提供することができる。
【００４３】
次に、本発明の他の実施例について述べる。上述した実施例においては復帰経路として光軸を中心とした環状の第一復帰経路48を形成しているも、本実施例では、復帰経路を第一退避経路47と同一の経路とし、第一退避経路47に復帰手段を設置し、この復帰手段により第一退避経路47に侵入した第一カムピン32を第一調整経路46に復帰させるものである。その他の構成に関しては前実施例と同様である。
【００４４】
この復帰手段の一つの例としては、図１４に示すように、第一退避経路47に配置されたバネ71とバネ71の前方側の端部に取付けられた第一係止板72とから形成されたバネ機構を用いることができる。
【００４５】
このバネ機構は撮像時には第一カムピン32が第一退避経路47に侵入しないように第一係止板72によって第一退避経路47を塞いだ状態としているものであり、光軸方向に強い負荷が掛かると第一カムピン32が第一係止板72を第一退避経路47の内部に押し込み、これにより第一鏡筒21も第二鏡筒内22内に沈胴する。そして、負荷が無くなるとバネ71の力により第一カムピン32を第一調整経路46に復帰させることにより第一鏡筒21を復帰させるものである。
【００４６】
そして、このように復帰手段としてバネ機構を設けることにより、落下時の衝撃をバネにより吸収することができ、且つ、第一鏡筒が第二鏡筒内に収納された後、直ぐに第一カムピンを第一調整経路上に復帰させることができ、第一鏡筒を直ぐに第二鏡筒内より突出させることが可能となる。
【００４７】
又、復帰手段の他の例としては、図１５に示すように、２つのギア81と、ギアベルト82と、当該ギアベルト82に取付けられた第二係止板83からなるプーリー機構がある。本実施例のプーリー機構において第二係止板83は、常に前面方向に対して負荷を加えており、第二係止板83が上述のバネ機構の第一係止板72と同様に、通常時には第一カムピン32が第一退避経路47に侵入しないように第一退避経路47を塞いだ状態としているものであって、光軸方向に強い負荷が掛かると第一カムピン32が第二係止板83を第一退避経路47の内部に押し込み、これにより第一鏡筒21も第二鏡筒内22内に沈胴する。そして、負荷が無くなると前面方向への負荷により第一カムピン32を第一調整経路46に復帰させることによって第一鏡筒21を復帰させるものである。
【００４８】
そして、このように復帰手段としてプーリー機構を設けることにより、第一鏡筒が第二鏡筒内に収納された後、直ぐに第一カムピンを第一調整経路上に復帰させることができ、第一鏡筒を直ぐに第二鏡筒内より突出させることが可能となる。
【００４９】
更に別の復帰手段の例としては、図１６に示すように、空気噴出装置91と第三係止板92からなる空気圧機構がある。この機構においては、第三係止板92が光軸方向に強い負荷が掛かることにより第一退避経路47の内部に押し込まれた場合に、空気噴出装置91の空気圧により第一カムピン32を第一調整経路46に復帰させて第一鏡筒21を復帰させるものである。
【００５０】
そして、このように復帰手段として空気圧機構を設けることにより、第一鏡筒が第二鏡筒内に収納された後、直ぐに第一カムピンを第一調整経路上に復帰させることができ、第一鏡筒を直ぐに第二鏡筒内より突出させることが可能となる。
【００５１】
尚、本発明は、以上の実施例の形態に限定されるものでなく、発明の要旨を逸脱しない範囲で自由に変更、改良が可能である。
【図面の簡単な説明】
【００５２】
【図１】本発明に係る撮像装置の一実施例を示す正面図。
【図２】本発明に係る撮像装置の一実施例を示す背面図。
【図３】本発明に係るレンズ鏡筒の一例を示す斜視図。
【図４】本発明に係るレンズ鏡筒の第一鏡筒を示す斜視図。
【図５】本発明に係るレンズ鏡筒の第二鏡筒を示す斜視図。
【図６】本発明に係るレンズ鏡筒の第一カム溝及び退避経路の一例を示す図。
【図７】本発明に係るレンズ鏡筒の第一退避経路部を示す第二鏡筒の断面図。
【図８】本発明に係るレンズ鏡筒の直進ガイドの一例を示す斜視図。
【図９】本発明に係るレンズ鏡筒の第二鏡筒と第一カムピンの接続構造を示す断面図。
【図１０】本発明に係るレンズ鏡筒の直進ガイドと第一鏡筒の接続を示す斜視図。
【図１１】本発明に係るレンズ鏡筒の第二カム溝及び退避経路の一例を示す図。
【図１２】本発明に係るレンズ鏡筒の第二退避経路部を示す鏡筒枠の断面図。
【図１３】本発明に係るレンズ鏡筒の第二鏡筒と第一カムピン及び鏡筒枠と第二カムピンの接続構造を示す断面図。
【図１４】本発明に係るレンズ鏡筒の復帰手段としてバネ機構を用いた場合における第二カム溝及び退避経路の例を示す図。
【図１５】本発明に係るレンズ鏡筒の復帰手段としてプーリー機構を用いた場合における第二鏡筒と第一カムピンの接続部の断面図。
【図１６】本発明に係るレンズ鏡筒の復帰手段として空気圧機構を用いた場合における第二鏡筒と第一カムピンの接続部の断面図。
【符号の説明】
【００５３】
1  撮像装置                          2  レンズ鏡筒
3  フラッシュ                        5  表示部
6  各種ボタン                        21  第一鏡筒
22  第二鏡筒                         23  鏡筒枠
31  撮像枠                           32  第一カムピン
33  切欠き                           40  歯部
41  円筒部                           42  縁部
43  第一カム溝                       44  第二カムピン
45  第一沈胴経路                     46  第一調整経路
47  第一退避経路                     48  第一復帰経路
51  切抜き                           52  直進ガイドピン
61  第二カム溝                       62  直進ガイド溝
65  第二沈胴経路                     66  第二調整経路
67  第二退避経路                     68  第二復帰経路
71  バネ                             72  第一係止板
81  ギア                             82  ギアベルト
83  第二係止板                       91  空気噴出装置
92  第三係止板
B  後方                              F  前方
【図１】
2008003272.tif 000003
【図２】
2008003272.tif 000004
【図３】
2008003272.tif 000005
【図４】
2008003272.tif 000006
【図５】
2008003272.tif 000007
【図６】
2008003272.tif 000008
【図７】
2008003272.tif 000009
【図８】
2008003272.tif 000010
【図９】
2008003272.tif 000011
【図１０】
2008003272.tif 000012
【図１１】
2008003272.tif 000013
【図１２】
2008003272.tif 000014
【図１３】
2008003272.tif 000015
【図１４】
2008003272.tif 000016
【図１５】
2008003272.tif 000017
【図１６】
2008003272.tif 000018